(57)【要約】      （修正有）【課題】歯ブラシのブラッシング状態を鏡で見ることができ、かつ鏡や周囲の壁を汚さないようにする歯磨き飛沫防止具を提供する。【解決手段】鏡の前で歯磨きをしている時に、鏡に向かって飛散する歯磨剤と唾液を遮蔽し、歯ブラシＡのブラッシング状態を鏡で確認できる透明な遮蔽板１に、歯ブラシＡの柄を脱着可能とする挿入部２を遮蔽板１の下部に設置し、Ｓ字型のフックに掛けることのできるフック受け３を挿入部２の下部に設置したことを特徴とする。【選択図】図１１
2020011017.tif 000002
【特許請求の範囲】
【請求項１】
鏡の前で歯磨きをしている時に、鏡に向かって飛散する歯磨剤と唾液を遮蔽し、歯ブラシＡのブラッシング状態を鏡で確認できる透明な遮蔽板１に、歯ブラシの柄Ａ２を脱着可能とする挿入部２を遮蔽板１の下部に設置し、Ｓ字型のフックＢに掛けることのできるフック受け３を挿入部２の下部に設置したことを特徴とする歯磨き飛沫防止具。
【発明の詳細な説明】
【技術分野】
【０００１】  本発明は鏡の前で歯磨きしている時に口の中の歯磨剤と唾液が鏡に飛散して、鏡を汚してしまうことを防ぐための歯磨き飛沫防止具に関するものである。
【背景技術】
【０００２】  従来、歯磨き時に口の中から飛び散る唾液を、遮蔽ガードを取り付けて防ぐ発明（特許文献１）が知られている。また、歯ブラシからつたった唾液を歯ブラシの柄に漏斗や貯留筒、垂れ液遮断板を取り付けて防ぐ発明（特許文献２、３、４）が知られている。
【先行技術文献】
【特許文献】
【０００３】
【特許文献１】特開２０１７−２０９４６９号公報
【特許文献２】特開２００３−０００３４８号公報
【特許文献３】特開２００３−２５０６３１号公報
【特許文献４】実用新案登録第３１２１８１９号公報
【発明の概要】
【発明が解決しようとする課題】
【０００４】  歯ブラシのブラッシング状態を鏡で見ながら歯磨きをしていると図９のように歯ブラシのブラッシングにより口の中の歯磨剤と唾液が鏡に飛散し、汚してしまう問題があった。歯ブラシのブラッシング状態を鏡で見ることができ、かつ鏡や周囲の壁を汚さないようにする発明が必要とされている。【０００５】  特許文献１では遮蔽ガードにより、口内残渣液の飛散りを抑止する発明であるが、遮蔽ガードが概ね口サイズである為、強めのブラッシングでは飛散する歯磨剤と唾液が遮蔽ガードを飛び越える可能性がある。また、遮蔽ガードにより口の前を覆った状態になれば、口の中が遮蔽ガードにより隠されてしまい、ブラッシング状態を鏡で見ることが難しくなる。【０００６】  特許文献２では歯ブラシの柄にたれてきた歯磨き液を漏斗の朝顔部の内側と歯ブラシの柄との間で形成した液受けに流行させる発明であるが、朝顔部の開口部は歯ブラシの柄にたれてきた歯磨き液を受け止める為の大きさであり、飛散する歯磨剤と唾液を防ぐ効果は低い。【０００７】  特許文献３では歯磨の混入した唾液を環状貯留筒に貯留する発明であるが環状貯留筒の開口部の広さは歯ブラシの柄をつたった唾液を受け止める為の大きさであり、飛散する歯磨剤と唾液を防ぐ効果は低い。【０００８】  特許文献４では垂れ液遮断板により、唾液などの垂れ液を手に伝えない発明であるが、垂れ液を液遮断板の周辺部から滴下せしめる大きさのものである為、飛散する歯磨剤と唾液を防ぐ効果は低く、垂れ液遮断板を歯ブラシと一体に形成する作りである為、取り付け位置によっては、口の中のブラッシングの状態を確認しづらくなる可能性もあり、歯ブラシ入れなどの収容用具に収納しづらくなる問題も予想される。【０００９】  特許文献１、２、３では歯ブラシの柄に伝わってくる唾液を溜めておく部品がとりつけられているが、歯磨き後の唾液の洗浄を丁寧に行わないと細菌が繁殖し易い構造であり、衛生的ではない。【００１０】  本発明はこれらの問題を解決するためになされたもので、鏡で歯磨き時のブラッシング状態を確認しながら、鏡を飛散する歯磨剤と唾液で汚さないようにすることを目的とする。
【課題を解決するための手段】
【００１１】  鏡の前で歯磨きをしている時に、鏡に向かって飛散する歯磨剤と唾液を遮蔽し、歯ブラシＡのブラッシング状態を鏡で確認できる透明な遮蔽板１に、歯ブラシの柄Ａ２を脱着可能とする挿入部２を遮蔽板１の下部に設置し、Ｓ字型のフックＢに掛けることのできるフック受け３を挿入部２の下部に設置する。
【発明の効果】
【００１２】  （イ）、図１０のように遮蔽板１が歯磨き時に歯ブラシの植毛部Ａ１側から飛び散る歯磨剤と唾液を効率的に遮蔽できるので、対面している鏡の汚れる範囲を少なくできる。
（ロ）、遮蔽板１が透明であることで歯磨き時の口の中のブラッシング状態を確認でき、本発明を使用しないときと変わらない動作で歯磨きを行える。
（ハ）、歯ブラシの柄Ａ２を挿入部２から脱着自在にすることでビニールケースＣに収納できる為、持ち運びが便利に行える。
（二）、フック受け３を設けており、洗面所で収納する際には、図７のように歯ブラシＡをＳ字型のフックＢにかけることができる。歯ブラシＡを干しながら保管できる為、歯ブラシＡを衛生的に保つことができる。また、透明で光を通すため細菌が繁殖しづらくできる。歯ブラシ入れなどの収容用具に歯ブラシを保管する場合は、本発明から歯ブラシＡを取り外して収納を行う。
（ホ）、歯ブラシの柄Ａ２に伝わった歯磨剤と唾液はある程度の粘性があるため、縦と横の長さが１０ｃｍ前後の遮蔽板１の上にしばらく受け止めておくことができる。また、遮蔽板１は平らであるため洗浄時には容易に歯磨剤と唾液を取り除くことができる。
【図面の簡単な説明】
【００１３】
【図１】本発明の正面図
【図２】挿入部とフック受けの正面図
【図３】遮蔽板の斜視図
【図４】遮蔽板に挿入部の取り付け方を示す斜視図
【図５】本発明に歯ブラシを取り付けたときの側面図
【図６】本発明に歯ブラシを取り付けたときの平面図
【図７】本発明をＳ字型のフックに掛けたときの側面図
【図８】本発明と歯ブラシをビニールケースに収納時の状態図
【図９】飛散する歯磨剤と唾液を示す参考説明図
【図１０】飛散する歯磨剤と唾液を遮蔽する方法を示す参考説明図
【図１１】本発明に歯ブラシを取り付けたときの前からみた斜視図
【図１２】本発明に歯ブラシを取り付けたときの後からみた斜視図
【発明を実施するための形態】
【００１４】  本発明の本体は図１で示すように歯磨剤と唾液を受け止める遮蔽板１、歯ブラシの柄Ａ２を挿入する挿入部２そして、Ｓ字型のフックＢに掛ける時に使うフック受け３から構成されている。
【００１５】  遮蔽板１は図３で示すように四角い板状で、角が顔に接触しても怪我を負わないように角をまるめた形状である。また、歯ブラシの植毛部Ａ１側から広い角度で飛散する歯磨剤と唾液を防ぐ為、人の口の周辺を覆い隠せるぐらいの広さであり、縦と横の長さが１０ｃｍ前後のものである。
【００１６】  遮蔽板１は歯磨きのブラッシング状態を観察できるようにするため透明な素材からなる。また、遮蔽板１の下方の中央部には挿入部２を取り付ける為の設置口１ｅを設けており、挿入部２に設けた設置溝２ｂに嵌めて取り付けを行う。
【００１７】  挿入部２は図４に示すように円柱状の形をしており、設置栓表２ｃ、設置溝２ｂ、設置栓裏２ｄ、挿入口２ａから構成される。設置溝２ｂは設置栓表２ｃと設置栓裏２ｄに比べて側面の周囲が小さく、設置栓表２ｃと設置栓裏２ｄで挟みこむことで溝を形成するものである。
【００１８】  挿入部２は歯ブラシの柄Ａ２を挿入するための挿入口２ａを設ける。挿入口２ａは設置栓表２ｃから設置溝２ｂを通り、設置栓裏２ｄまで貫通した穴である。また、挿入口２ａの形状は歯ブラシの柄Ａ２の形状に合わせ横に長い長方形の形をしたものである。
【００１９】  設置溝２ｂは遮蔽板１の設置口１ｅに嵌めて、設置栓表２ｃと設置栓裏２ｄで両側から挟むように遮蔽板１を固定する。
【００２０】  遮蔽板１の材質は設置口１ｅに挿入部２の設置溝２ｂに伸び縮みさせて嵌められるように例えば透明なウレタンゴムなどの柔軟でな材料から形成される。また、四角い形状をした遮蔽板１の四隅の角はフィレット加工を行うなどして、肌に触れても痛みを感じない程度に丸みをつけたものである。
【００２１】  挿入部２の材質も歯ブラシの柄Ａ２を自在に脱着できるようにするため、例えばシリコンゴムのような弾力性のある材料から形成される。
【００２２】  フック受け３は紐状の形状であり図２と図４で示すようにフック受け３の両端を挿入部２に設けられている設置栓裏２ｄの下方側に設置をする。フック受け３の長さはＳ字型のフックＢに掛けられる程度の長さを持つ。また、挿入部２と一体になっている部品である。
【００２３】  本発明を使用するときには図５に示すように挿入部２の挿入口１ｅに歯ブラシの植毛部Ａ１が遮蔽板１の上辺１ｂ側に向くように歯ブラシの柄Ａ２を挿入する。
【００２４】  透明な遮蔽板１を通して、対面する鏡で歯のブラッシング状態を確認しながら歯磨きを行う。また、歯のブラッシングを行う時には、対面する鏡に向って飛散する歯磨剤と唾液を遮蔽板１で防ぎながら歯磨きを行う。
【００２５】  歯ブラシの柄Ａ２につたってくる歯磨剤と唾液は遮蔽板１でしばらくの間受け止めておく。受け止めた歯磨剤と唾液は歯磨きが終了したあとに、飛沫として飛散して歯磨剤と唾液とともに洗浄する。
【００２６】  歯磨きが終了した後は歯磨剤と唾液で汚れた平らな遮蔽板を水で手でこするように洗浄する。歯ブラシＡを取り付けたまま洗浄し、歯ブラシＡも同時に洗浄を行う。
【００２７】  歯磨きが終了し、歯ブラシＡと本発明の本体を収納する際は、図７で示すように歯ブラシの柄Ａ２を挿入部２の挿入口１ｅから取り外すことで、図８で示したようにビニールケースＣに収納したり、もしくは、図７で示すようにＳ字型のフックＢに掛けて収納する。歯ブラシ入れなど収納用具に歯ブラシを格納する場合は、本発明から歯ブラシＡを取り外して本発明と別々に収納する。
【符号の説明】
【００２８】１  遮蔽板
１ａ  遮蔽板の上辺
１ｂ  遮蔽板の下辺
１ｃ  遮蔽板の左辺
１ｄ  遮蔽板の右辺
１ｅ  遮蔽板の設置口
１ｆ  右上の角
１ｇ  右下の角
１ｈ  左上の角
１ｉ  左下の角
２  挿入部
２ａ  挿入口
２ｂ  設置溝
２ｃ  設置栓表
２ｄ  設置栓裏
３  フック受け
Ａ  歯ブラシ
Ａ１  歯ブラシの植毛部
Ａ２  歯ブラシの柄
Ｂ  Ｓ字型のフック
Ｃ  ビニールケース
【図１】
2020011017.tif 000003
【図２】
2020011017.tif 000004
【図３】
2020011017.tif 000005
【図４】
2020011017.tif 000006
【図５】
2020011017.tif 000007
【図６】
2020011017.tif 000008
【図７】
2020011017.tif 000009
【図８】
2020011017.tif 000010
【図９】
2020011017.tif 000011
【図１０】
2020011017.tif 000012
【図１１】
2020011017.tif 000013
【図１２】
2020011017.tif 000014